(57)【要約】【課題】被検体液中に含まれる細菌の数を好適にカウントできる細菌検出装置を実現する。【解決手段】細菌検出装置１００は、検出チップ１０が載置されたステージ２０を、第１駆動機構３０と第２駆動機構４０によって前後方向と左右方向に移動させて、検出チップ１０の凹部（溝４）を撮像部６０による撮像位置に合わせて撮像することができる。検出チップ１０の凹部（溝４）に貯留されている被検体液に蛍光標識が結合された細菌が含まれていれば、その細菌を表面プラズモン共鳴による発光点として撮像部６０によって撮像できる。そして、撮像部６０が撮像した画像中の発光点を制御部７０がカウントするようにして、検出チップ１０の凹部（溝４）に貯留されていた被検体液中の細菌の数を好適にカウントすることができる。【選択図】図２
2018205258.tif 000002
【特許請求の範囲】
【請求項１】
光透過性を有する板状部と、その板状部の上面側に蛍光標識が結合された細菌が含まれている被検体液を貯留する凹部が設けられている検出チップと、
前記検出チップが載置されるステージと、
第１モータと、前記第１モータの回転力を前記ステージに伝達するコグドベルトを有し、前記ステージを一の方向に移動させる第１駆動機構と、
第２モータと、前記第２モータの回転力を前記ステージに伝達する円筒カムを有し、前記ステージを一の方向と直交する方向に移動させる第２駆動機構と、
前記検出チップの前記凹部に下方から光を照射する光照射部と、
前記被検体液が貯留されている前記凹部を撮像する撮像部と、
前記撮像部が撮像した画像中の発光点をカウントすることで、前記凹部に貯留されていた前記被検体液中の細菌の数をカウントする制御部と、
を備え、
前記板状部には、略長方形状を呈する前記凹部が、その長手方向が前記一の方向に沿う向きとなるように、互いに平行に複数設けられていることを特徴とする細菌検出装置。
【請求項２】
前記凹部の長尺側の縁には、前記撮像部による撮像位置確認用の目盛として機能するように複数の切欠が所定間隔で設けられていることを特徴とする請求項１に記載の細菌検出装置。
【請求項３】
前記凹部の長尺側の縁に形成されている複数の切欠は、対向する縁において互い違いとなる配置に設けられていることを特徴とする請求項２に記載の細菌検出装置。
【請求項４】
前記検出チップは、光透過性を有し、その上面に電場増強層が形成されている透明基板と、前記透明基板の上面側に前記凹部を形成するために組み付けられている液体保持部材とを備えており、
前記液体保持部材には、略長方形状を呈し、その長手方向が前記一の方向に沿う向きとなる複数の溝が上下に貫通して互いに平行に形成されていることを特徴とする請求項１〜３のいずれか一項に記載の細菌検出装置。
【請求項５】
前記液体保持部材は、遮光性を有していることを特徴とする請求項４に記載の細菌検出装置。
【請求項６】
前記電場増強層は、表面プラズモン共鳴励起層であり、
前記光照射部は、前記検出チップ上面の前記表面プラズモン共鳴励起層に下方から光を照射することを特徴とする請求項４又は５に記載の細菌検出装置。
【発明の詳細な説明】
【技術分野】
【０００１】
本発明は、光が全反射する際に、その全反射面において発生するエバネッセント場を照明として用いる全反射照明や、光の全反射によって誘起される表面プラズモン共鳴や導波モード励起に伴って発生する増強電場を利用して、被検体液中に含まれる細菌を検出する細菌検出装置に関する。
【背景技術】
【０００２】
光が全反射する際に、全反射面に発生する電場を用いて、蛍光標識された生体物質を観測したり、検出したりする技術は広く用いられている。例えば、全反射照明蛍光顕微鏡は、試料とカバーガラス或いはスライドガラスとの界面で入射光を全反射させ、これによって生じるエバネッセント場を励起光として利用し、ノイズとなるバックグラウンド光が少ない蛍光観察を行う技術である。表面プラズモン共鳴や導波モード励起が可能な電場増強層を用いると、より鮮明な蛍光観察が可能であることも知られている。
【０００３】
従来、被検体液が送液される流路を有する検出チップを備え、被検体液中に含まれる細菌（バクテリア）を検出する細菌検出装置が知られている（例えば、特許文献１参照。）。
検出チップの流路には、表面プラズモン共鳴を発現する電場増強層（表面プラズモン共鳴励起層）が形成されている。
そして、細菌検出装置は、検出チップの流路が設けられている面とは反対の面側から電場増強層に光を照射し、被検体液中に含まれる細菌に結合させた蛍光標識から発せられる蛍光を光検出器で検出するようにして、被検体液中に含まれる細菌を検出するようになっている。
特に、この装置の検出チップの流路には、表面プラズモン共鳴を好適に励起させるプリズム機能が付与されているので、細菌に結合させた蛍光標識から発せられる蛍光を高感度で検出することが可能になっている。
【先行技術文献】
【特許文献】
【０００４】
【特許文献１】特開２０１３−２４６０６号公報
【発明の概要】
【発明が解決しようとする課題】
【０００５】
しかしながら、上記特許文献１の細菌検出装置の場合、被検体液中に含まれる細菌を高感度で検出して、被検体液中に細菌が含まれているか否かを精度よく判定することは可能であるが、流路の断面形状がＶ字型であるために流路表面全体に焦点を合わせること、すなわち流路表面で捕捉した細菌全体をイメージセンサー上で結像することが困難であり、被検体液中に含まれる細菌の数をカウントすることは困難であった。
【０００６】
本発明の目的は、被検体液中に含まれる細菌の数を好適にカウントできる細菌検出装置を提供することである。
【課題を解決するための手段】
【０００７】
上記目的を達成するため、本発明に係る細菌検出装置は、
光透過性を有する板状部と、その板状部の上面側に蛍光標識が結合された細菌が含まれている被検体液を貯留する凹部が設けられている検出チップと、
前記検出チップが載置されるステージと、
第１モータと、前記第１モータの回転力を前記ステージに伝達するコグドベルトを有し、前記ステージを一の方向に移動させる第１駆動機構と、
第２モータと、前記第２モータの回転力を前記ステージに伝達する円筒カムを有し、前記ステージを一の方向と直交する方向に移動させる第２駆動機構と、
前記検出チップの前記凹部に下方から光を照射する光照射部と、
前記被検体液が貯留されている前記凹部を撮像する撮像部と、
前記撮像部が撮像した画像中の発光点をカウントすることで、前記凹部に貯留されていた前記被検体液中の細菌の数をカウントする制御部と、
を備え、
前記板状部には、略長方形状を呈する前記凹部が、その長手方向が前記一の方向に沿う向きとなるように、互いに平行に複数設けられているようにした。
【０００８】
かかる構成の細菌検出装置によれば、検出チップが載置されたステージを、第１駆動機構と第２駆動機構によって一の方向と該方向と直交する方向に移動させて、検出チップの凹部を撮像部による撮像位置に合わせて撮像することができる。
検出チップの凹部に貯留されている被検体液に蛍光標識が結合された細菌が含まれていれば、その細菌を全反射照明や、電場増強層による増強電場による発光点として撮像部によって撮像できる。
そして、撮像部が撮像した画像中の発光点をカウントすることで、検出チップの凹部に貯留されていた被検体液中の細菌の数をカウントすることができる。
【０００９】
特に、細菌検出装置の第１駆動機構は、コグドベルトを介してステージを一の方向（例えば前後方向）に移動させるので、凹部の長手方向に沿う各所を撮像部の撮像位置に合わせるような、比較的長い移動の位置合わせに適している。
また、細菌検出装置の第２駆動機構は、円筒カムを介してステージを一の方向と直交する方向（例えば左右方向）に移動させるので、平行に並んでいる複数の凹部のいずれかを撮像部の撮像位置に合わせるような、比較的短い移動の位置合わせに適している。
このような２つの移動機構の協働によって、検出チップが載置されたステージを好適に移動させて、検出チップの凹部を撮像部で好適に撮像できるので、検出チップの凹部に貯留されていた被検体液中の細菌の数を好適にカウントすることができる。
【００１０】
また、望ましくは、
前記凹部の長尺側の縁には、前記撮像部による撮像位置確認用の目盛として機能するように複数の切欠が所定間隔で設けられているようにする。
こうすることで、撮像部が撮像した画像中に含まれている切欠を基準にして、検出チップの凹部の撮像位置を確認し易くなる。
【００１１】
また、望ましくは、
前記凹部の長尺側の縁に形成されている複数の切欠は、対向する縁において互い違いとなる配置に設けられているようにする。
例えば、撮像部が検出チップの凹部をその長手方向に複数に分割して撮像する際、その凹部において対向する縁の切欠が一対、撮像した画像中に含まれていれば、凹部を長手方向に複数に分割して撮像した画像の重複部分を画像処理によって取り除き易くなる。
つまり、撮像部が撮像した複数の画像の重複部分を取り除く画像処理を行って、各凹部の画像中の発光点をカウントする処理を行えれば、検出チップの凹部に貯留されていた被検体液中の細菌の数をより正確にカウントすることができる。
【００１２】
また、望ましくは、
前記検出チップは、光透過性を有し、その上面に電場増強層が形成されている透明基板と、前記透明基板の上面側に前記凹部を形成するために組み付けられている液体保持部材とを備えており、
前記液体保持部材には、略長方形状を呈し、その長手方向が前記一の方向に沿う向きとなる複数の溝が上下に貫通して互いに平行に形成されているようにする。
検出チップを構成する透明基板の上面に電場増強層が形成されていれば、電場増強層の上面に形成された増強電場によって、被検体液中の細菌に結合された蛍光標識を好適に発光させることができ、透明基板（板状部）のみの場合と比べて良好なコントラストで細菌を観測することが可能になる。
【００１３】
また、望ましくは、
前記液体保持部材は、遮光性を有しているようにする。
例えば、透明基板からの自家蛍光が、使用している蛍光標識の発光波長に近いと、フィルタ等の分光素子を用いても分離できずにノイズになってしまうことがある。
そこで、液体保持部材が遮光性を有していれば、透明基板に光が入射された際に生じる自家蛍光が上面に放出されることを防ぐ遮光部材として機能するので、ノイズを遮断して被検体液中の細菌の数を好適にカウントすることが可能になる。
【００１４】
また、望ましくは、
前記電場増強層は、表面プラズモン共鳴励起層であり、
前記光照射部は、前記検出チップ上面の前記表面プラズモン共鳴励起層に下方から光を照射するようにする。
検出チップを構成する透明基板の上面に表面プラズモン共鳴励起層が形成されていれば、表面プラズモン共鳴励起層の上面に形成された増強電場によって、被検体液中の細菌に結合された蛍光標識を好適に発光させることができ、良好に細菌を観測することができる。
【発明の効果】
【００１５】
本発明によれば、被検体液中に含まれる細菌の数を好適にカウントできる細菌検出装置が得られる。
【図面の簡単な説明】
【００１６】
【図１】本実施形態の細菌検出装置に取り付けて使用する検出チップを示す斜視図（ａ）と、その断面図（ｂ）である。
【図２】本実施形態の細菌検出装置を示す斜視図である。
【図３】本実施形態の細菌検出装置を示す斜視図である。
【図４】本実施形態の細菌検出装置のステージ部分を拡大して示す斜視図である。
【図５】本実施形態の細菌検出装置の撮像部を示す側面図である。
【発明を実施するための形態】
【００１７】
以下、図面を参照して、本発明に係る細菌検出装置の実施形態について詳細に説明する。但し、以下に述べる実施形態には、本発明を実施するために技術的に好ましい種々の限定が付されているが、本発明の範囲を以下の実施形態及び図示例に限定するものではない。
【００１８】
本実施形態の細菌検出装置１００は、表面プラズモン共鳴を利用して、被検体液中に含まれる細菌を検出する装置である。
まず、細菌検出装置１００に取り付けて使用する検出チップ１０について説明する。
検出チップ１０は、図１（ａ）（ｂ）に示すように、上面に電場増強層である表面プラズモン共鳴励起層２が形成されている透明基板１と、透明基板１の上面側に被検体液を貯留する凹部を形成するために組み付けられている液体保持部材３と、を有している。
【００１９】
透明基板１は、透明な樹脂材料やガラスなどを用いて成形された光透過性を有する板状部材であり、その上面に表面プラズモン共鳴励起層２が形成されている。
また、透明基板１には、表面プラズモン共鳴励起層２が形成されている上面と鋭角を成して接しているプリズム面１ａが設けられている。
このプリズム面１ａから入射した光は屈折し、所定の角度で表面プラズモン共鳴励起層２に入射するようになっている。
【００２０】
表面プラズモン共鳴励起層２は、例えば、厚さ数ｎｍ〜数十ｎｍの金属層であり、入射光の波長において負の誘電率を有する金属材料、例えば、金、銀、プラチナ、アルミニウムなどを含んでいる。表面プラズモン共鳴励起層２は、蒸着法、スパッタリング法、ＣＶＤ法、ＰＶＤ法など周知の手法によって形成することができる。
この表面プラズモン共鳴励起層２は、所定の入射角度で光を受けると、表面側に染み出したエバネセント波が表面プラズモン共鳴の励起条件を満たし、表面プラズモン共鳴励起層２の表面に表面プラズモン共鳴を発現させる。
この表面プラズモン共鳴により表面プラズモン共鳴励起層２の上面に形成された増強電場によって、被検体液中の細菌に結合された蛍光標識を発光させる。また、この表面プラズモン共鳴励起層２は、表面プラズモン共鳴を発現させると同時に、透明基板１に光が入射された際に生じる自家蛍光が表面プラズモン共鳴励起層２の上面に放出されることを防ぐ遮光膜としても機能する。これらの効果により、表面プラズモン共鳴励起層２を形成することで、透明基板１のみの場合と比べて良好なコントラストで細菌を観測することが可能である。
【００２１】
液体保持部材３は、遮光性を有する樹脂材料を用いて成形された部材であり、上下に貫通した溝４が設けられている。
本実施形態の液体保持部材３には、略長方形状を呈する３本の溝４が互いに平行となる配置に形成されている。
この液体保持部材３を透明基板１の上面に組み付け、液体保持部材３の溝４の下部を塞ぐようにすることで、その溝４からなる凹部が透明基板１の上面側に形成されるようになっている。
このような凹部（溝４）に、細菌検出装置１００による検査対象となる被検体液（蛍光標識が結合された細菌が含まれている被検体液）が貯留される。
【００２２】
また、液体保持部材３の溝４の長尺側の縁には、複数の切欠４ａが所定間隔で設けられている。
特に、その溝４の長尺側の縁に形成されている複数の切欠４ａは、対向する縁において互い違いとなる配置に設けられている。
この液体保持部材３の溝４の縁に設けられている複数の切欠４ａは、後述する細菌検出装置１００の撮像部６０による撮像位置確認用の目盛として機能する。
【００２３】
次に、上述した検出チップ１０を備えている細菌検出装置１００について説明する。
本実施形態の細菌検出装置１００は、図２、図３に示すように、検出チップ１０が取り付けられているステージ２０と、ステージ２０を一の方向（前後方向）に移動させる第１駆動機構３０と、ステージ２０を一の方向と直交する方向（左右方向）に移動させる第２駆動機構４０と、ステージ２０に載置された検出チップ１０に向けて光を照射する光照射部５０と、ステージ２０に載置された検出チップ１０の凹部を撮像する撮像部６０と、装置各部を統括制御するとともに、撮像部６０が撮像した画像に基づいて検出チップ１０の凹部に貯留された被検体液中の細菌の数をカウントする制御部７０等を備えている。
【００２４】
ステージ２０は、検出チップ１０が載置されるステージ本体２１と、ステージ本体２１を移動可能に支持しているサブステージ２２と、を備えている。
サブステージ２２は、装置の筐体に設けられている前後方向に延在するガイド（図示省略）に沿って前後に移動可能に配設されている。
ステージ本体２１は、サブステージ２２に設けられている左右方向に延在する軸２２ａに沿って左右に移動可能に配設されている。
このステージ本体２１に検出チップ１０が取り付けられる装着部が設けられており、装着部に取り付けられた検出チップ１０の略長方形状の溝４（凹部）は、その長手方向が前後方向に沿う向きとなり、３つの溝４（凹部）が左右方向に互いに平行に並ぶようになる。
【００２５】
第１駆動機構３０は、図４に示すように、第１モータ３１と、第１モータ３１の回転力をステージ２０のサブステージ２２に伝達するコグドベルト３２等を有している。
第１モータ３１とコグドベルト３２は装置の筐体に配設されており、コグドベルト３２がサブステージ２２の一部に連結されている。第１モータ３１はステッピングモータである。
この第１駆動機構３０によって、サブステージ２２が前後方向に移動される。
なお、サブステージ２２上のステージ本体２１と第２駆動機構４０（第２モータ４１、円筒カム４２）は、サブステージ２２とともに前後方向に移動される。
【００２６】
第２駆動機構４０は、図４に示すように、第２モータ４１と、第２モータ４１の回転力をステージ２０のステージ本体２１に伝達する円筒カム４２等を有している。
第２モータ４１と円筒カム４２はサブステージ２２上に配設されており、円筒カム４２の螺旋状の案内溝４２ａには、ステージ本体２１に設けられているピン２１ａが挿し入れられている。第２モータ４１はステッピングモータである。
この第２駆動機構４０によって、ステージ本体２１がサブステージ２２上で左右方向に移動される。
【００２７】
光照射部５０は、図４に示すように、ステージ本体２１に配設されている。
光照射部５０は、例えば、半導体レーザー（LD：Laser Diode）を備えており、ステージ本体２１（ステージ２０）に載置された検出チップ１０に向けてレーザー光を照射し、透明基板１から入射した光が伝搬して検出チップ１０の表面プラズモン共鳴励起層２にレーザー光が照射される。具体的には、光照射部５０が照射したレーザー光は、検出チップ１０の透明基板１のプリズム面１ａから入射し、屈折した光がチップ内部を伝搬し検出チップ１０の表面プラズモン共鳴励起層２の下方から入射するようになっている。
【００２８】
なお、検出チップ１０に向けてレーザー光を照射した際、検出チップ１０からの自家蛍光が直接的もしくはチップ観察面にある微細な塵や傷等により散乱されて間接的に、後述するレンズユニット６２を通してＣＣＤカメラ６１に入射するとノイズとなってしまい、撮像部６０による正常な撮像検出を妨げることがある。特に、検出チップ１０からの自家蛍光が、使用している蛍光標識の発光波長に近いと、（図示されていない）フィルタ等の分光素子で分離できずに大きなノイズになってしまうことがある。そのため、液体保持部材３は遮光性を有していることが望ましい。
もちろん液体保持部材３として自家蛍光性の無い材料もしくは蛍光標識と異なる蛍光波長の材料を選択すれば、そのようなノイズの問題は発生しないが、それにより液体保持部材３の材料選択性が制限されるので、その設計自由度が著しく低下してしまう。また、液体保持部材３を透明基板１に組み付けて検出チップ１０とするために接着部材等を使用する場合、接着部材に自家蛍光性があると同様の問題が発生することがある。このような場合も、液体保持部材３が遮光性を有していれば、ノイズの問題を回避することができる。
【００２９】
撮像部６０は、図５に示すように、例えば、ＣＣＤカメラ６１と、レンズユニット６２と、ＣＣＤカメラ６１とレンズユニット６２の間の光路を折り返すためのミラー６３，６４等を備えている。
このＣＣＤカメラ６１はレンズユニット６２を通して、ステージ本体２１（ステージ２０）に載置された検出チップ１０を撮像する。
具体的には、ＣＣＤカメラ６１（撮像部６０）は、被検体液が貯留されている検出チップ１０の凹部（溝４）を撮像する。
なお、検出チップ１０の凹部（溝４）に貯留される被検体液には、蛍光標識が結合された細菌が含まれている。
【００３０】
制御部７０は、例えば、装置の制御基板７１にケーブル７２を介して接続されたノート型パソコン等のパーソナルコンピュータであり、キーボードやマウスなどの操作部と、液晶ディスプレイなどの表示部等を備えている。
制御部７０には、細菌検出装置１００の制御用プログラムが格納されており、この制御部７０から装置の制御基板７１へ動作指令を与える。そして、制御基板７１から装置各部に動作指令を与えて、第１駆動機構３０（第１モータ３１）や第２駆動機構４０（第２モータ４１）を作動させてステージ２０（ステージ本体２１、サブステージ２２）を移動させたり、光照射部５０を作動させてステージ本体２１（ステージ２０）に載置されている検出チップ１０に向けてレーザー光を照射したりすることができるように構成されている。
また、制御部７０は、撮像部６０（ＣＣＤカメラ６１）に動作指令を与えて、被検体液が貯留されている検出チップ１０の凹部（溝４）を撮像することができるように構成されている。
【００３１】
特に、制御部７０は、撮像部６０（ＣＣＤカメラ６１）が撮像した画像（被検体液が貯留されている検出チップ１０の凹部（溝４）の画像）に基づき、検出チップ１０の凹部（溝４）に貯留された被検体液中の細菌の数をカウントする処理を実行する。
具体的には、制御部７０は、撮像部６０が撮像した画像中の発光点をカウントすることで、検出チップ１０の凹部（溝４）に貯留されている被検体液中の細菌の数をカウントする。
【００３２】
次に、本実施形態の細菌検出装置１００によって、被検体液中の細菌の数をカウントする処理ついて説明する。
まず、検出チップ１０の凹部（溝４）に、ＤＡＰＩなどの蛍光標識が結合された細菌が含まれている被検体液を所定量スポイトで滴下するなどして貯留する。
【００３３】
次いで、制御部７０としてのパーソナルコンピュータを操作して細菌検出装置１００による細菌数の測定を開始すると、光照射部５０が検出チップ１０に向けてレーザー光を照射するとともに、ステージ２０に載置されている検出チップ１０を撮像部６０の撮像エリアＲに合わせるように、第１駆動機構３０と第２駆動機構４０によってステージ２０（ステージ本体２１、サブステージ２２）を移動させ、所定位置で撮像部６０（ＣＣＤカメラ６１）が検出チップ１０の凹部（溝４）を撮像する。
被検体液に蛍光標識が結合された細菌が含まれていれば、撮像部６０（ＣＣＤカメラ６１）によってその細菌を発光点として撮像できる。なお、表面プラズモン共鳴を利用して被検体液中に含まれる細菌を発光点として撮像する技術は公知なので、ここでは詳述しない。
【００３４】
この細菌検出装置１００の撮像部６０の撮像エリアＲは、例えば図１（ａ）に示すような範囲であるので、その位置合わせと撮像を複数回繰り返すようにして、検出チップ１０の凹部（溝４）の全領域を撮像するようになっている。
具体的には、第２駆動機構４０によってステージ２０（ステージ本体２１）を左右方向に移動させて、互いに平行に並んでいる３つの凹部（溝４）のいずれかに撮像部６０の撮像エリアＲを合わせ、第１駆動機構３０によってステージ２０（サブステージ２２）を前後方向に移動させつつ、略長方形状の凹部（溝４）を長手方向に複数に分割した画像を撮像する。
【００３５】
細菌検出装置１００の第２駆動機構４０は、円筒カム４２を介してステージ２０（ステージ本体２１）を移動させるので、平行に並んでいる３つの凹部（溝４）のいずれかに撮像部６０の撮像エリアＲを合わせるような、比較的短い移動に適している。
また、細菌検出装置１００の第１駆動機構３０は、コグドベルト３２を介してステージ２０（サブステージ２２）を移動させるので、凹部（溝４）の長手方向に沿う各所に撮像部６０の撮像エリアＲを合わせるような、比較的長い移動に適している。
【００３６】
特に、撮像部６０が検出チップ１０の凹部（溝４）をその長手方向に複数に分割して撮像する際、溝４において対向する縁の切欠４ａが一対、撮像部６０の撮像エリアＲに含まれるように撮像するようになっている。
この凹部（溝４）の縁に設けられている複数の切欠４ａは、撮像部６０による撮像位置確認用の目盛として機能するので、撮像部６０が撮像した画像中に一対の切欠４ａが含まれていれば、凹部（溝４）を長手方向に複数に分割して撮像した画像の重複部分を制御部７０において取り除く画像処理が可能になる。
なお、検出チップ１０の切欠４ａをより認識しやすくするため、ステージ２０上の検出チップ１０の周辺を照らすＬＥＤ等の補助光源（図示省略）が備え付けられていてもよい。
【００３７】
次いで、制御部７０は、撮像部６０が撮像した複数の画像の重複部分を取り除く画像処理を行い、各凹部（溝４）の画像中の発光点をカウントする処理を行って、検出チップ１０の凹部（溝４）に貯留されていた被検体液中の細菌の数をカウントする。
このように、検出チップ１０の凹部（溝４）に貯留した所定量の被検体液中の細菌の数を計測することで、例えば、その被検体液１ｃｃ当りの細菌数を検出することができる。
【００３８】
以上のように、本実施形態の細菌検出装置１００は、被検体液中に含まれる細菌の数を好適にカウントすることができる。
なお、この細菌検出装置１００は、被検体液中に含まれる細菌の数を正確にカウントすることに用いることに限らず、被検体液中に含まれる細菌の数が閾値以上か、閾値未満か判定することにも用いることができる。被検体液中に含まれる細菌の数が閾値以上か否かを判定する処理であれば、被検体液中に含まれる細菌の数を全てカウントする処理よりも短時間で行うことができる。
【００３９】
なお、以上の実施の形態においては、透明基板１の上面側に組み付ける液体保持部材３には、３つの溝４が形成されているとしたが、本発明はこれに限定されるものではなく、撮像部６０の撮像倍率に応じて、大小任意の大きさの溝４を任意の数形成した液体保持部材３を用い、任意の数の凹部を有する検出チップ１０を使用するようにしてもよい。
【００４０】
また、上記実施形態において、検出チップ１０の切欠４ａをより認識しやすくするために、ステージ２０上の検出チップ１０を照らすＬＥＤ等の補助光源（図示省略）を備えることを説明したが、具体的には、撮像部６０が落射照明としてＬＥＤ等の補助光源（図示省略）を備え、検出チップ１０の切欠４ａの位置を認識し易い画像を取得するようにしてもよい。
【００４１】
また、その他、具体的な細部構造等についても適宜に変更可能であることは勿論である。
【符号の説明】
【００４２】
１      透明基板
１ａ    プリズム面
２      表面プラズモン共鳴励起層（電場増強層）
３      液体保持部材
４      溝（凹部）
４ａ    切欠
１０    検出チップ
２０    ステージ
２１    ステージ本体
２１ａ  ピン
２２    サブステージ
２２ａ  軸
３０    第１駆動機構
３１    第１モータ
３２    コグドベルト
４０    第２駆動機構
４１    第２モータ
４２    円筒カム
４２ａ  案内溝
５０    光照射部
６０    撮像部
６１    ＣＣＤカメラ
６２    レンズユニット
６３、６４  ミラー
７０    制御部
７１    制御基板
７２    ケーブル
１００  細菌検出装置
Ｒ      撮像エリア
【図１】
2018205258.tif 000003
【図２】
2018205258.tif 000004
【図３】
2018205258.tif 000005
【図４】
2018205258.tif 000006
【図５】
2018205258.tif 000007